(57)【要約】【課題】小さい消費電力で効率よく空気を浄化させることができる加湿機能付きの空気清浄機の提供。【解決手段】空気清浄機１は、羽根車８１の回転によって吸込口２から吸込んだ空気を加湿する着脱可能な加湿フィルタ５を備えており、空気清浄機１内において風路は１つである。制御部１３は、加湿フィルタ検出部６１が検出した加湿フィルタ５の有無に応じてファンモータ８２の回転数を制御する。制御部１３は、加湿フィルタ検出部６１が加湿フィルタ５の無を検出した場合におけるファンモータ８２の回転数を、加湿フィルタ検出部６１が加湿フィルタ５の有を検出した場合におけるファンモータ８２の回転数よりも低い回転数に制御する。【選択図】図１
2013015302.tif 000002
【特許請求の範囲】
【請求項１】
羽根車を回転させるモータを備え、該羽根車の回転によって吸込口から吸込んだ空気を浄化する空気清浄機において、
前記吸込口から吸込んだ空気を加湿する着脱可能なフィルタと、
前記フィルタの有無を検出するフィルタ検出手段と、
該フィルタ検出手段が前記フィルタの無を検出した場合における前記モータの回転数を、前記フィルタ検出手段が前記フィルタの有を検出した場合における前記モータの回転数よりも低い回転数に制御する手段と
を備えることを特徴とする空気清浄機。
【請求項２】
前記フィルタに含ませる水を貯留する水槽と、
該水槽が貯留する水の水位を検出する水位検出手段と、
前記フィルタ検出手段が前記フィルタの無を検出した場合に前記水位検出手段の動作を停止させる手段と
を備えることを特徴とする請求項１に記載の空気清浄機。
【請求項３】
前記羽根車の回転によって吹出口から吹出す空気に含めるイオンを発生する発生手段と、
該発生手段が発生するイオンの増減の指示を受け付ける受付手段と、
該受付手段が受け付けた指示に従って、前記発生手段が発生するイオンを増減する手段と
を備えることを特徴とする請求項１又は請求項２に記載の空気清浄機。
【請求項４】
前記受付手段が増加の指示を受け付けた場合に、前記フィルタ検出手段の動作を停止させる手段
を備えることを特徴とする請求項３に記載の空気清浄機。
【発明の詳細な説明】
【技術分野】
【０００１】
本発明は、吸込口から吸込んだ空気の浄化及び加湿を行う空気清浄機に関する。
【背景技術】
【０００２】
人体に有害な物質、例えば、塵埃を含む空気を浄化すると共に加湿する空気清浄機が普及している。このような加湿機能付きの空気清浄機は、通常、塵埃を含む空気を濾過する浄化フィルタ、及び、空気を加湿する加湿フィルタを備えている。
【０００３】
加湿機能付きの空気清浄機は、羽根車を回転させるモータを備え、羽根車の回転によって吸込口から吸込んだ空気を浄化フィルタ及び加湿フィルタに通過させ、空気の浄化及び加湿を行う。また、この加湿機能付きの空気清浄機は、空気の加湿を行わずに、空気の浄化のみを行うこともできるように構成されている。
【０００４】
空気の浄化のみを行うことが可能な加湿機能付きの空気清浄機として、空気を加湿しない場合に加湿フィルタに吸水を停止させ、乾いた加湿フィルタに空気を通過させる空気清浄機がある。
【０００５】
また、他の方法で空気の浄化のみを行うことが可能な加湿機能付きの空気清浄機が特許文献１に開示されている。特許文献１に記載の空気清浄機には、浄化フィルタを通過する風路と、加湿フィルタ及び浄化フィルタを通過する風路とが個別に設けられており、空気を加湿しない場合、加湿フィルタ及び浄化フィルタを通過する風路を遮断し、浄化フィルタのみを通過した空気を吹出口から吹出す。
【先行技術文献】
【特許文献】
【０００６】
【特許文献１】特開２００９−２５０４４８号公報
【発明の概要】
【発明が解決しようとする課題】
【０００７】
しかしながら、加湿フィルタに吸水を停止させる空気清浄機では、空気の浄化のみを行う場合、乾燥した加湿フィルタに空気を通過させなければならない。空気を加湿フィルタに通過させた場合、空気抵抗によって、空気圧が低下し、圧力損失が生じる。圧力損失が生じた場合、加湿フィルタを通過した空気の風量が低下する。このため、加湿フィルタに吸水を停止させる空気清浄機では、風量の低下分を補うために、モータは高い回転数で羽根車を回転させており、消費電力が大きいという問題がある。
【０００８】
また、特許文献１に記載の空気清浄機については、２つの風路が設けられているため、空気を加湿しない場合に空気が通過する風路の面積が小さい。これにより、風路を通過可能な風量が少なく、特許文献１に記載の空気清浄機には効率よく空気を浄化させることができないという問題がある。
【０００９】
本発明は斯かる事情に鑑みてなされたものであり、その目的とするところは、小さい消費電力で効率よく空気を浄化させることができる加湿機能付きの空気清浄機を提供することにある。
【課題を解決するための手段】
【００１０】
本発明に係る空気清浄機は、羽根車を回転させるモータを備え、該羽根車の回転によって吸込口から吸込んだ空気を浄化する空気清浄機において、前記吸込口から吸込んだ空気を加湿する着脱可能なフィルタと、前記フィルタの有無を検出するフィルタ検出手段と、該フィルタ検出手段が前記フィルタの無を検出した場合における前記モータの回転数を、前記フィルタ検出手段が前記フィルタの有を検出した場合における前記モータの回転数よりも低い回転数に制御する手段とを備えることを特徴とする。
【００１１】
本発明にあっては、吸込口から吸込んだ空気を加湿するフィルタを着脱することができる。フィルタが無である場合、フィルタによる圧力損失が生じないため、モータは低い回転数で羽根車を回転させることができる。従って、フィルタ検出手段がフィルタの無を検出した場合におけるモータの回転数を、フィルタ検出手段がフィルタの有を検出した場合におけるモータの回転数よりも低い回転数に制御することによって、小さい消費電力で空気が浄化される。
また、複数の風路を必要としないため、効率よく空気を浄化することができる。
【００１２】
本発明に係る空気清浄機は、前記フィルタに含ませる水を貯留する水槽と、該水槽が貯留する水の水位を検出する水位検出手段と、前記フィルタ検出手段が前記フィルタの無を検出した場合に前記水位検出手段の動作を停止させる手段とを備えることを特徴とする。
【００１３】
本発明にあっては、フィルタ検出手段がフィルタを検出しなかった場合に、水槽に貯留された水の水位を検出する水位検出手段の動作を停止させるので、水位検出手段が水位を検出するために使用する消費電力が削減される。
【００１４】
本発明に係る空気清浄機は、前記羽根車の回転によって吹出口から吹出す空気に含めるイオンを発生する発生手段と、該発生手段が発生するイオンの増減の指示を受け付ける受付手段と、該受付手段が受け付けた指示に従って、前記発生手段が発生するイオンを増減する手段とを備えることを特徴とする。
【００１５】
本発明にあっては、受付手段は発生手段が発生するイオンの増減の指示を受け付け、受け付けた指示に従って、発生手段が発生するイオンを増減する。これにより、使用者は室内に飛散されるイオンの量を適量に調整することができる。
【００１６】
本発明に係る空気清浄機は、前記受付手段が増加の指示を受け付けた場合に、前記フィルタ検出手段の動作を停止させる手段を備えることを特徴とする。
【００１７】
本発明にあっては、受付手段が増加の指示を受け付けた場合に、フィルタ検出手段の動作を停止する。これにより、フィルタ検出手段がフィルタの有無を検出するために使用する消費電力が削減される。
【発明の効果】
【００１８】
本発明によれば、複数の風路を必要とせず、空気を加湿するフィルタが着脱可能であり、フィルタの無を検出した場合におけるモータの回転数が、フィルタの有を検出した場合におけるモータの回転数よりも少ない回転数に制御されるので、小さい消費電力で効率よく空気を浄化させることができる。
【図面の簡単な説明】
【００１９】
【図１】本発明に係る空気清浄機の構成を略示する断面図である。
【図２】操作パネルの外観図である。
【図３】空気清浄機の制御系の要部構成を示すブロック図である。
【図４】自動で設定されるファンモータの回転数を示す図表である。
【図５】手動で設定されるファンモータの回転数を示す図表である。
【図６】省エネルギーモードにおける送風機の消費電力の削減効果を示す図表である。
【図７】ハイパワーモードにおける送風機の風量を示す図表である。
【図８】制御部が実行する動作の手順を示すフローチャートである。
【図９】制御部が実行する動作の手順を示すフローチャートである。
【発明を実施するための形態】
【００２０】
以下、本発明をその実施の形態を示す図面に基づいて詳述する。
図１は本発明に係る空気清浄機の構成を略示する断面図である。この空気清浄機１は直方体状をなす。空気清浄機１には、一側面に外部から空気を吸込む吸込口２が設けられており、一方の端面に吹出口３が設けられている。空気清浄機１は、吹出口３が設けられた端面を上面として床に配置される。
【００２１】
空気清浄機１は、外部から吸込んだ空気の浄化及び加湿を行い、浄化及び加湿を行った空気にイオンを含ませ、イオンを含む空気を吹出口３から外部に吹出す。また、空気清浄機１は空気を加湿せずに浄化することもできる。
【００２２】
空気清浄機１は、吸込口２及び吹出口３に加えて、浄化フィルタ４、加湿フィルタ５、水槽６、電動モータ７、送風機８、イオン発生部９、塵埃検出部１０、湿度検出部１１、操作パネル１２及び制御部１３を備えている。
浄化フィルタ４は、板状をなし、その一面が、吸込口２が設けられた側面と平行になるように配されている。送風機８によって吸込口２から吸込まれた空気は最初に浄化フィルタ４を通過する。これにより、浄化フィルタ４は、吸込口２から吸込まれた空気を濾過して、空気に含まれる人体に有害な物質、例えば、塵埃を除去する。浄化フィルタ４によって浄化された空気は加湿フィルタ５を通過する。
【００２３】
加湿フィルタ５は、円盤状をなし、盤面が浄化フィルタ４の一面と平行になるように配置されている。加湿フィルタ５の下側に、一面が開放された箱体状の水槽６が、開放された一面が上面となるように配置されており、加湿フィルタ５の一部は水槽６が貯留する水にひたる。加湿フィルタ５の盤面の中心に回転軸５１が設けられており、回転軸５１は、加湿フィルタ５が回転できるように、水槽６によって支持されている。
【００２４】
また、加湿フィルタ５の上側には、加湿フィルタ５を回転させる電動モータ７が配置されている。電動モータ７は、加湿フィルタ５を回転させるためのローラを有しており、加湿フィルタ５が水槽６に装着された場合に、ローラが加湿フィルタ５の側面に接触するように配置されている。電動モータ７はローラを回転させることによって、加湿フィルタ５を回転させる。
【００２５】
電動モータ７が、制御部１３の指示に従って、回転軸５１を中心に加湿フィルタ５を回転させることによって、加湿フィルタ５の周縁部全体が水槽６の水を吸収し、水が加湿フィルタ５の全面に行き渡る。これにより、加湿フィルタ５を通過した空気が加湿される。
【００２６】
制御部１３は、空気清浄機１が空気を加湿しない場合、電動モータ７への給電を停止することによって、電動モータ７の動作を停止させる。これにより、制御部１３は加湿フィルタ５の回転を停止させる。また、使用者は加湿フィルタ５を水槽６から着脱することができ、空気を加湿しない場合に加湿フィルタ５を水槽６から取外すことができる。
【００２７】
更に、加湿フィルタ５の一方の盤面に磁気を発する磁石５２が設けられている。磁石５２が設けられた盤面に対向する水槽６の側面に、磁石５２が発する磁気を検出する加湿フィルタ検出部６１が設けられている。加湿フィルタ検出部６１は磁石５２が発する磁気を検出したか否かによって加湿フィルタ５の有無を検出する。
【００２８】
加湿フィルタ検出部６１は、磁石５２が発する磁気を検出した場合、加湿フィルタ５の有を検出した旨を制御部１３に通知する。加湿フィルタ検出部６１は、加湿フィルタ５が回転し、磁石５２が水槽６内を移動している間に、磁石５２と対向することができる位置に設けられている。
【００２９】
制御部１３は、電動モータ７に指示して、加湿フィルタ５が１回転する期間、例えば、７０秒間だけ加湿フィルタ５を回転させる。制御部１３は、加湿フィルタ５が１回転する期間に加湿フィルタ検出部６１が磁石５２の磁気を検出した場合には加湿フィルタ５の有を検出し、加湿フィルタ５が１回転する期間に加湿フィルタ検出部６１が磁石５２の磁気を検出しなかった場合に加湿フィルタ５の無を検出する。
【００３０】
水槽６の内側面には、加湿フィルタ検出部６１の他に、水槽６に貯留された水の水位を検出する水位検出部６２が設けられている。水位検出部６２は、水槽６の水の水位を検出し、検出結果を制御部１３に通知する。水位検出部６２は水槽６の水の水位が所定水位であるか否かを検出する。
【００３１】
水槽６の水の水位が所定水位よりも低くなった場合、図示しない給水タンクに貯留されている水が水槽６に供給される。これにより、水槽６の水の水位が所定水位に維持される。給水タンクに水が貯留されておらず、水槽６の水の水位が所定水位未満になった場合、水位検出部６２は水槽６の水の水位が所定水位でない旨を制御部１３に通知する。制御部１３は、水槽６の水の水位が所定水位でない旨の通知を受け付けた場合、給水タンクへの水の補給を促すメッセージを後述の表示部１４（図３参照）に表示する。
【００３２】
送風機８は、吸込口２が設けられた側面に対向する側面に配置され、羽根車８１と、羽根車８１を回転させるファンモータ８２とを有している。ファンモータ８２は、羽根車８１を回転させることによって、吸込口２から空気を吸込み、吸込んだ空気を浄化フィルタ４及び加湿フィルタ５に通過させ、通過させた空気を吹出口３から吹出す。単位時間あたりのファンモータ８２の回転数は制御部１３によって制御される。
以下、単に回転数と記載した場合には単位時間あたりの回転数を意味するものとする。
【００３３】
なお、加湿フィルタ５が使用者によって取外されている場合、ファンモータ８２は、吸込口２から吸込んだ空気を浄化フィルタ４に通過させ、通過させた空気を吹出口３から吹出す。
【００３４】
イオン発生部９は、送風機８から吹出口３までの風路を形成する面に配置されている。イオン発生部９への給電は制御部１３によって制御されている。イオン発生部９は、給電された場合に、イオンを発生し、発生したイオンを送風機８が吹出口３から吹出す空気に含める。これにより、空気中に浮遊するカビ菌及び大腸菌等の細菌がイオンによって分解されて除去される。制御部１３は、イオン発生部９に給電される時間を制御することによって、イオン発生部９が発生するイオンの量を制御する。
【００３５】
塵埃検出部１０は、浄化フィルタ４の上側に配されており、空気清浄機１が配置された室内の空気中に含まれる塵埃を検出し、検出した結果を制御部１３に通知する。
湿度検出部１１は、塵埃検出部１０と同様に浄化フィルタ４の上側に配されている。湿度検出部１１は、空気清浄機１が配置された室内の空気の湿度を検出し、検出した結果を制御部１３に通知する。
【００３６】
操作パネル１２は空気清浄機１の上面の外側に設置されている。操作パネル１２は、空気清浄機１における運転の始動及び停止、ファンモータ８２の回転数の設定、空気の浄化に加えて加湿を行うか否か、並びに、空気を浄化するモード等に関する指示を受け付け、受け付けた指示を制御部１３に通知する。
【００３７】
制御部１３は、マイクロコンピュータ等で構成されており、空気清浄機１の上面の内側に、操作パネル１２と対向するように設けられている。制御部１３は、操作パネル１２が受け付けた指示、並びに、加湿フィルタ検出部６１、塵埃検出部１０及び湿度検出部１１夫々が検出した結果に基づいて、電動モータ７、ファンモータ８２及びイオン発生部９の動作を制御する。制御部１３は、ファンモータ８２の回転数と、加湿フィルタ検出部６１、水位検出部６２、電動モータ７、塵埃検出部１０及び湿度検出部１１への給電とを制御する。
【００３８】
図２は操作パネル１２の外観図である。操作パネル１２は、「運転入／切」ボタン２１、「自動運転」ボタン２２、「手動運転」ボタン２３、「空気清浄」ボタン２４、「ハイパワーモード」ボタン２５、「省エネルギーモード」ボタン２６、及び、「加湿空気清浄」ボタン２７を有している。各ボタンの近傍にはランプが設けられている。
【００３９】
「運転入／切」ボタン２１は、操作パネル１２が使用者から空気清浄機１における運転の始動又は停止の指示を受け付けるためのボタンである。空気清浄機１が停止している場合に、使用者が「運転入／切」ボタン２１を押すと、操作パネル１２は運転の始動の指示を受け付ける。また、空気清浄機１が動作している場合に、使用者が「運転入／切」ボタン２１を押すと、操作パネル１２は運転の停止の指示を受け付ける。
【００４０】
操作パネル１２が運転の始動の指示を受け付けた場合、操作パネル１２に設けられた複数のランプの内、一又は複数のランプが点灯し、空気清浄機１は、空気の浄化及び加湿、又は、空気の浄化のみを行う。操作パネル１２が運転の停止の指示を受け付けた場合、操作パネル１２に設けられた複数のランプの内、点灯中の一又は複数のランプを消灯し、空気清浄機１は、空気の浄化及び加湿、又は、空気の浄化を停止する。
【００４１】
「自動運転」ボタン２２は、ファンモータ８２の回転数を自動で設定する旨の指示を受け付けるためのボタンである。使用者が「自動運転」ボタン２２を押した場合、操作パネル１２はファンモータ８２の回転数を自動で設定する旨の指示を受け付ける。このとき、制御部１３は、塵埃検出部１０及び湿度検出部１１夫々が検出した塵埃及び湿度に対応する回転数で羽根車８１をファンモータ８２に回転させる。
【００４２】
ここで、塵埃検出部１０及び湿度検出部１１夫々が検出した塵埃及び湿度に対応するファンモータ８２の回転数は後述の記憶部１５（図３参照）に記憶してあり、制御部１３は、記憶部１５から回転数を読み出して、読み出した回転数で羽根車８１をファンモータ８２に回転させる。
「自動運転」ボタン２２近傍のランプは、ファンモータ８２の回転数が自動で設定されている場合に点灯し、ファンモータ８２の回転数が手動で設定されている場合に消灯する。
【００４３】
「手動運転」ボタン２３は、ファンモータ８２の回転数を手動で設定する旨の指示、及び、ファンモータ８２の回転数の設定モードを受け付けるためのボタンである。使用者が「手動運転」ボタン２３を押した場合、ファンモータ８２の回転数を手動で設定する旨の指示、及び、ファンモータ８２の回転数の設定モードを受け付ける。
【００４４】
「手動運転」ボタン２３の近傍に３つのランプがあり、３つのランプ夫々の近傍に「弱」、「中」及び「強」の文字が記載されている。使用者が「手動運転」ボタン２３を押した場合、「弱」、「中」及び「強」のいずれかのランプが点灯する。
【００４５】
更に、使用者が「手動運転ボタン」２３を繰り返し押すことによって、ファンモータ８２の回転数の設定モードが「弱」、「中」及び「強」の順に変更される。ファンモータ８２の回転数の設定モードに応じて、「弱」、「中」及び「強」のランプのいずれかが点灯する。なお、設定モードが「強」である状態で使用者が「手動運転ボタン」２３を押した場合、設定モード「弱」に変更される。
【００４６】
記憶部１５には、設定モード「弱」、「中」及び「強」夫々に対応するファンモータ８２の回転数が記憶してある。制御部１３は、操作パネル１２が受け付けた設定モードに対応する回転数を記憶部１５から読み出し、ファンモータ８２に、読み出した回転数で羽根車８１を回転させる。
【００４７】
操作パネル１２がファンモータ８２の回転数を自動で設定する旨の指示を受け付けた場合、「自動運転」ボタン２２近傍のランプが点灯し、「手動運転」ボタン２３近傍の３つのランプはいずれも消灯する。操作パネル１２がファンモータ８２の回転数を手動で設定する旨の指示を受け付けた場合、「自動運転」ボタン２２近傍のランプが消灯し、「手動運転」ボタン２３近傍の３つのランプのいずれか１つが点灯する。
【００４８】
「空気清浄」ボタン２４は、空気の浄化の指示を受け付けるためのボタンである。使用者が「空気清浄」ボタン２４を押した場合、操作パネル１２は空気の浄化の指示を受け付ける。このとき、制御部１３は、電動モータ７に動作を停止させ、ファンモータ８２に羽根車８１を回転させ、イオン発生部９にイオンを発生させることによって空気の浄化のみを行う。操作パネル１２が空気の浄化の指示を受け付けた場合、「空気清浄」ボタン２４近傍のランプが点灯する。
【００４９】
空気清浄機１が空気の浄化のみを行う運転モードとして、ハイパワーモード及び省エネルギーモードがある。制御部１３は、ハイパワーモードで空気を浄化する場合にイオン発生部９に給電される時間を、省エネルギーモードで空気を浄化する場合にイオン発生部９に給電される時間よりも長くする。
【００５０】
これにより、空気清浄機１がハイパワーモードで空気を浄化する場合、イオン発生部９が発生するイオンの量が、省エネルギーモードで空気を浄化する場合に発生するイオンの量よりも多くなる。
【００５１】
空気清浄機１がハイパワーモード及び省エネルギーモードで空気を浄化する夫々の場合に、イオン発生部９に給電される時間は記憶部１５に記憶されてあり、制御部１３は、各場合に対応する時間を記憶部１５から読み出して、読み出した時間だけイオン発生部９へ給電させる。
【００５２】
空気清浄機１が省エネルギーモードで空気を浄化する場合、制御部１３は、加湿フィルタ検出部６１が検出した加湿フィルタ５の有無に応じて、ファンモータ８２の回転数を制御する。
具体的には、制御部１３は、加湿フィルタ検出部６１が加湿フィルタ５の無を検出した場合におけるファンモータ８２の回転数を、加湿フィルタ検出部６１が加湿フィルタ５の有を検出した場合におけるファンモータ８２の回転数よりも少ない回転数に制御する。
【００５３】
加湿フィルタ検出部６１が加湿フィルタ５の有及び無を検出した夫々の場合に、ファンモータ８２が羽根車８１を回転させる回転数は記憶部１５に記憶されてあり、制御部１３は、各場合に対応する回転数を記憶部１５から読み出して、読み出した回転数でファンモータ８２に羽根車８１を回転させる。
【００５４】
「ハイパワーモード」ボタン２５は、空気の浄化のみが行われている場合に、イオン発生部９が発生するイオンの増加の指示を受け付けるボタンである。
「省エネルギーモード」ボタン２６は、空気の浄化のみが行われている場合に、加湿フィルタ検出部６１が検出した加湿フィルタ５の有無に応じてファンモータ８２の回転数を制御する旨の指示を受け付けるためのボタンである。
【００５５】
ここで、使用者が「省エネルギーモード」ボタン２６を押した場合、加湿フィルタ５の有無に応じてファンモータ８２の回転数を制御する旨の指示が受け付けられると共に、ハイパワーモードが解除される。操作パネル１２は、イオン発生部９から発生するイオンの減少の指示を受け付ける。制御部１３は、イオン発生部９に給電される時間を短くして、イオン発生部９が発生するイオンの量を減少させる。
【００５６】
空気の浄化のみが行われている場合、「空気清浄」ボタン２４近傍のランプが点灯し、使用者によって指示された運転モードに応じて、「ハイパワーモード」ボタン２５又は「省エネルギーモード」ボタン２６近傍のランプが点灯する。「空気清浄」ボタン２４近傍のランプが点灯した場合、「加湿空気清浄」ボタン２７近傍のランプが消灯する。
【００５７】
「加湿空気清浄」ボタン２７は、空気の浄化及び加湿の指示を受け付けるためのボタンである。使用者が「加湿空気清浄」ボタン２７を押した場合、操作パネル１２は空気の浄化及び加湿の指示を受け付け、制御部１３は、電動モータ７に加湿フィルタ５を回転させ、ファンモータ８２に羽根車８１を回転させ、イオン発生部９にイオンを発生させる。
【００５８】
空気の浄化及び加湿を行う場合においてイオン発生部９に印加される時間は、省エネルギーモードで空気を浄化する場合においてイオン発生部９に印加される時間と同じである。即ち、空気の浄化及び加湿を行う場合、及び、省エネルギーモードで空気を浄化する場合にイオン発生部９が発生するイオンの量は同じである。
【００５９】
空気の浄化及び加湿が行われている場合、「加湿空気清浄」ボタン２７近傍のランプが点灯し、「空気清浄」ボタン２４、「ハイパワーモード」ボタン２５及び「省エネルギーモード」ボタン２６夫々の近傍のランプが消灯する。
【００６０】
なお、ハイパワーモードで空気の浄化のみが行われている状態で、使用者が「加湿空気清浄」ボタン２７を押した場合、ハイパワーモードが解除されるので、操作パネル１２は、イオン発生部９が発生するイオンの減少の指示を受け付ける。制御部１３は、イオン発生部９に給電される時間を短くして、イオン発生部９が発生するイオンの量を減少させる。
【００６１】
図３は空気清浄機１の制御系の要部構成を示すブロック図である。制御部１３は、操作パネル１２、加湿フィルタ検出部６１、水位検出部６２、塵埃検出部１０、湿度検出部１１、電動モータ７、ファンモータ８２、イオン発生部９、表示部１４及び記憶部１５に接続している。
【００６２】
表示部１４は、水位検出部６２が水位を検出した結果、水槽６の水の水位が所定水位でない場合に、制御部１３の指示に従って、給水タンクへの水の補給を促す旨のメッセージを表示する。
なお、表示部１４は、メッセージを表示せずに、例えば、黒で表示されているパネルを赤に変更することによって、給水タンクへの水の補給を促してもよい。
【００６３】
記憶部１５は、種々の場合において、ファンモータ８２の回転数を記憶している。これらの回転数については後述する。
記憶部１５は、更に、ハイパワーモードで空気の浄化のみを行う場合にイオン発生部９に給電されるべき時間と、省エネルギーモードで空気の浄化のみを行う場合、又は、空気の浄化及び加湿を行う場合にイオン発生部９に給電されるべき時間とを記憶している。
記憶部１５が記憶している内容は制御部１３によって適宜読み出される。
【００６４】
制御部１３は、操作パネル１２が使用者から受け付けた種々の指示と、加湿フィルタ検出部６１、塵埃検出部１０及び湿度検出部１１夫々が検出した結果とに応じて、ファンモータ８２の回転数、及び、イオン発生部９に給電されるべき時間を記憶部１５から読み出す。制御部１３は、読み出した回転数で羽根車８１をファンモータ８２に回転させ、読み出した時間だけイオン発生部９に給電させる。
【００６５】
制御部１３は、操作パネル１２が空気の浄化及び加湿の指示を受け付けた場合、電動モータ７に指示して加湿フィルタ５を回転させる。
制御部１３は、ハイパワーモードで空気の浄化のみを行う場合、加湿フィルタ検出部６１への給電を停止することによって、加湿フィルタ検出部６１の動作を停止させる。
制御部１３は、空気の浄化及び加湿が行われている状態で、水槽６の水の水位が所定水位でない場合に、表示部１４に、給水タンクへの水の補給を促すメッセージを表示する。
【００６６】
また、制御部１３は、省エネルギーモードで空気の浄化のみを行っている状態で、加湿フィルタ検出部６１が加湿フィルタ５の無を検出した場合に、水位検出部６２への給電を停止し、水位検出部６２の動作を停止させる。
【００６７】
図４は自動で設定されるファンモータ８２の回転数を示す図表である。ファンモータ８２の回転数の設定が自動である場合、制御部１３は、塵埃検出部１０及び湿度検出部１１夫々に空気の塵埃及び湿度を検出させる。塵埃検出部１０が検出した塵埃のレベルは、検出した塵埃の量に応じて、「きれい」、「汚れ：小」、「汚れ：中」、「汚れ：大」及び「汚れ：最大」の５段階である。
【００６８】
空気の浄化のみを行う場合、又は、空気の浄化及び加湿を行っていて湿度検出部１１が所定湿度以上の湿度を検出した場合、塵埃のレベル「きれい」、「汚れ：小」、「汚れ：中」、「汚れ：大」及び「汚れ：最大」夫々に対応するファンモータ８２の回転数は、６００、７００、８００、８８０及び１０００ｒ．ｐ．ｍ．に設定されている。ｒ．ｐ．ｍ．は、rotation per minuteの略称であり、１分間の回転数を示す単位である。
【００６９】
空気の浄化及び加湿を行って湿度検出部１１が所定湿度未満の湿度を検出した場合、塵埃のレベル「きれい」、「汚れ：小」、「汚れ：中」、「汚れ：大」及び「汚れ：最大」夫々に対応するファンモータ８２の回転数は、全て１０００ｒ．ｐ．ｍ．に設定されている。記憶部１５には、図４に示すファンモータ８２の回転数が記憶してある。
【００７０】
図５は、手動で設定されるファンモータ８２の回転数を示す図表である。ファンモータ８２の回転数の設定が手動である場合、ファンモータ８２の回転数は使用者によって指示される。
【００７１】
空気の浄化のみを行う場合、設定モード「弱」、「中」及び「強」夫々に対応するファンモータ８２の回転数は、４３０、９６０及び１４２０ｒ．ｐ．ｍ．に設定されている。
空気の浄化及び加湿を行う場合、設定モード「弱」、「中」及び「強」夫々に対応するファンモータ８２の回転数は、５００、８８０及び１０００ｒ．ｐ．ｍ．に設定されている。
記憶部１５には、図５に示すファンモータ８２の回転数が記憶してある。
【００７２】
図６は、省エネルギーモードにおける送風機８の消費電力の削減効果を示す図表である。省エネルギーモードで空気が浄化されているので、制御部１３は、加湿フィルタ検出部６１が検出した加湿フィルタ５の有無に応じてファンモータ８２の回転数を制御する。
【００７３】
図６には、送風機８について、加湿フィルタ検出部６１が加湿フィルタ５の有及び無を検出した夫々の場合におけるファンモータ８２の回転数（設定モード）、消費電力及び風量が示されている。図６には、ファンモータ８２の回転数が手動で設定される場合における回転数、消費電力及び風量が示されている。
【００７４】
加湿フィルタ検出部６１が加湿フィルタ５の有を検出した場合において、設定モード「弱」、「中」及び「強」夫々に対応するファンモータ８２の回転数は４３０、９６０及び１４２０ｒ．ｐ．ｍ．である。一方、加湿フィルタ検出部６１が加湿フィルタ５の無を検出した場合において設定モード「弱」、「中」及び「強」夫々に対応するファンモータ８２の回転数は、３６０、８９０及び１３５０ｒ．ｐ．ｍ．である。
【００７５】
加湿フィルタ５が無である場合において設定モード「弱」、「中」及び「強」夫々に対応するファンモータ８２の回転数は、加湿フィルタ５が有である場合において設定モード「弱」、「中」及び「強」夫々に対応するファンモータ８２の回転数よりも低く設定されている。
【００７６】
ファンモータ８２が一定の回転数で羽根車８１を回転している状態で、加湿フィルタ５が有から無になった場合、空気清浄機１内を通過する空気の風量が多くなる。このため、制御部１３は、加湿フィルタ５が無である場合、ファンモータ８２の回転数を低く設定することができる。
【００７７】
加湿フィルタ５が有から無になることによって、図６に示すように、消費電力は、設定モード「弱」では２．８０Ｗから２．４０Ｗに、設定モード「中」では１２．７２Ｗから１０．２０Ｗに、設定モード「強」では４２．０７Ｗから３７．９０Ｗに削減されている。
【００７８】
更に、加湿フィルタ５が無である場合において、設定モード「弱」、「中」及び「強」夫々に対応する風量は、０．８３、２．８１及び４．６３ＣＭＭであり、加湿フィルタ５が有である場合において、設定モード「弱」、「中」及び「強」夫々に対応する風量と略同じである。これにより、加湿フィルタ５が有から無になった場合に、回転数を下げても空気を浄化する能力が低下していないことがわかる。なお、ＣＭＭは、Cubic Meter per Minuteの略称であり、１分間あたりの風量を示す単位である。
【００７９】
なお、ファンモータ８２の回転数が自動で設定される場合についても、加湿フィルタ５が無である場合における回転数は、加湿フィルタ５が有である場合における回転数よりも低く設定され、送風機８の消費電力が削減される。
【００８０】
図７はハイパワーモードにおける送風機８の風量を示す図表である。図７には、ファンモータ８２が手動で設定される場合における送風機８の風量が示されている。ハイパワーモードで空気が浄化される場合、イオン発生部９が発生するイオンの量が、省エネルギーモードで空気が浄化される場合にイオン発生部９が発生するイオンの量より多い。ハイパワーモードで空気が浄化される場合、加湿フィルタ５の有無に無関係にファンモータ８２の回転数は一定である。
【００８１】
図７は、設定モード「弱」、「中」及び「強」夫々において、加湿フィルタ５が有である場合における風量と、加湿フィルタ５が無である場合における風量とが示されている。設定モード「弱」、「中」及び「強」夫々に対応するファンモータ８２の回転数は４３０、９６０及び１４２０ｒ．ｐ．ｍ．である。
【００８２】
加湿フィルタ５が有から無になることによって、風量は、設定モード「弱」では０．８３ＣＭＭから１．１０ＣＭＭに、設定モード「中」では２．８１ＣＭＭから３．１０ＣＭＭに、設定モード「強」では４．６３ＣＭＭから４．９０ＣＭＭに増加している。加湿フィルタ５が無である場合、空気清浄機１はイオンをより遠くまで飛散することができる。
【００８３】
なお、ファンモータ８２の回転数が自動で設定される場合についても、加湿フィルタ５が無である場合における送風機８の風量は、加湿フィルタ５が有である場合における送風機８の風量よりも多い。
【００８４】
図８及び９は、制御部１３が実行する動作の手順を示すフローチャートである。
制御部１３は、まず、ファンモータ８２の回転数の設定が自動であるか否かを判定する（ステップＳ１）。
【００８５】
制御部１３は、使用者が「自動運転」ボタン２２を押して操作パネル１２がファンモータ８２の回転数を自動で設定する旨の指示を受け付けている場合に、ファンモータ８２の回転数の設定が自動であると判定する。制御部１３は、使用者が「手動運転」ボタン２３を押して操作パネル１２がファンモータ８２の回転数を手動で設定する旨の指示を受け付けている場合に、ファンモータ８２の回転数の設定が自動ではないと判定する。
【００８６】
制御部１３は、ファンモータ８２の回転数の設定が自動であると判定した場合（ステップＳ１：ＹＥＳ）、塵埃検出部１０に空気の塵埃を検出させる（ステップＳ２）。続いて、制御部１３は、湿度検出部１１に空気の湿度を検出させる（ステップＳ３）。
【００８７】
制御部１３は、ファンモータ８２の回転数の設定が自動ではない、即ち、手動であると判定した場合（ステップＳ１：ＮＯ）、ファンモータ８２の回転数の設定モードを、操作パネル１２を介して使用者から受け付ける（ステップＳ４）。
【００８８】
制御部１３は、ステップＳ３又はＳ４を実行した後、空気を加湿するか否かを判定する（ステップＳ５）。制御部１３は、使用者が「加湿空気清浄」ボタン２７を押して操作パネル１２が空気の浄化及び加湿の指示を受け付けている場合、空気を加湿すると判定する。制御部１３は、使用者が「空気清浄」ボタン２４を押して操作パネル１２が空気の浄化の指示を受け付けている場合、空気を加湿しないと判定する。
【００８９】
制御部１３は、空気を加湿すると判定した場合（ステップＳ５：ＹＥＳ）、ファンモータ８２の回転数を設定する(ステップＳ６)。
【００９０】
ステップＳ１において回転数の設定が自動である場合、制御部１３は、ステップＳ２で検出した塵埃のレベル、及び、ステップＳ３で検出した湿度が所定湿度以上であるか否かに基づいて、ファンモータ８２の回転数を記憶部１５から読み出す（図４参照）。制御部１３は、ファンモータ８２の回転数を記憶部１５から読み出した回転数に設定する。
【００９１】
ステップＳ１において回転数の設定が自動でない、即ち、手動である場合、制御部１３は、ステップＳ４で受け付けた設定モードに基づいて、ファンモータ８２の回転数を記憶部１５から読み出す（図５参照）。制御部１３は、ファンモータ８２の回転数を記憶部１５から読み出した回転数に設定する。
【００９２】
次に、制御部１３は、イオン発生部９が発生しているイオンの量がハイパワーモード対応のイオンの量であるか否かを判定する（ステップＳ７）。制御部１３は、イオン発生部９に給電されている時間がハイパワーモードに対応する時間であるか否かによって、ハイパワーモード対応のイオンの量であるか否かを判定する。
【００９３】
制御部１３は、イオン発生部９が発生するイオンの量がハイパワーモード対応のイオンの量であると判定した場合（ステップＳ７：ＹＥＳ）、イオン発生部９が発生するイオンの量を、ハイパワーモードを解除した場合に発生すべきイオンの量に減少させる（ステップＳ８）。
【００９４】
ここで、制御部１３は、ハイパワーモードを解除した場合に、イオン発生部９に給電されるべき時間を記憶部１５から読み出し、読み出した時間だけイオン発生部９に給電する。
【００９５】
制御部１３は、イオン発生部９が発生するイオンの量がハイパワーモード対応のイオンの量ではないと判定した場合（ステップＳ７：ＮＯ）、又は、ステップＳ８を実行した後、水位検出部６２に水槽６の水の水位を検出させることによって、水槽６の水の水位が所定水位であるか否かを判定する（ステップＳ９）。制御部１３は、水槽６の水の水位が所定水位でない場合（ステップＳ９：ＮＯ）、表示部１４に、給水タンクへの水の補給を促すメッセージを表示する（ステップＳ１０）。
【００９６】
制御部１３は、水槽６の水の水位が所定水位にあると判定した場合（ステップＳ９：ＹＥＳ）、又は、ステップＳ１０を実行した後、空気の浄化及び加湿を行う（ステップＳ１１）。制御部１３は、電動モータ７に指示して加湿フィルタ５を回転させ、ステップＳ６で設定した回転数で羽根車８１をファンモータ８２に回転させ、イオン発生部９にイオンを発生させることによって空気の浄化及び加湿を行う。
【００９７】
制御部１３は、空気を加湿しないと判定した場合（ステップＳ５：ＮＯ）、ファンモータ８２の回転数を設定する（ステップＳ１２）（図９参照）。
【００９８】
ステップＳ１において回転数の設定が自動である場合、制御部１３は、ステップＳ２で検出した塵埃のレベルに基づいて、ファンモータ８２の回転数を記憶部１５から読み出す（図４参照）。制御部１３は、ファンモータ８２の回転数を記憶部１５から読み出した回転数に設定する。
【００９９】
ステップＳ１において回転数の設定が自動でない、即ち、手動である場合、制御部１３は、ステップＳ４で受け付けた設定モードに基づいて、ファンモータ８２の回転数を記憶部１５から読み出す（図５参照）。制御部１３は、ファンモータ８２の回転数を記憶部１５から読み出した回転数に設定する。
【０１００】
次に、制御部１３は、省エネルギーモードで空気を浄化するか否かを判定する（ステップＳ１３）。
【０１０１】
制御部１３は、使用者が「省エネルギーモード」ボタン２６を押して、操作パネル１２が加湿フィルタ５の有無に応じたファンモータの回転数の制御を行う旨の指示を受け付けている場合、省エネルギーモードで空気を浄化すると判定する。制御部１３は、使用者が「ハイパワーモード」ボタン２５を押して操作パネル１２がイオンの増加の指示を受け付けている場合、省エネルギーモードで空気を浄化しないと判定する。
【０１０２】
制御部１３は、省エネルギーモードで空気を浄化すると判定した場合（ステップＳ１３：ＹＥＳ）、ステップＳ７と同様にして、イオン発生部９が発生するイオンの量がハイパワーモード対応のイオンの量であるか否かを判定する（ステップＳ１４）。
【０１０３】
制御部１３は、イオン発生部９が発生するイオンの量がハイパワーモード対応のイオンの量であると判定した場合（ステップＳ１４：ＹＥＳ）、ステップＳ８と同様にして、イオン発生部９が発生するイオンの量を、ハイパワーモードを解除した場合に発生すべきイオンの量に減少させる（ステップＳ１５）。
【０１０４】
制御部１３は、イオン発生部９が発生するイオンの量がハイパワーモード対応のイオンの量ではないと判定した場合（ステップＳ１４：ＮＯ）、又は、ステップＳ１５を実行した後、加湿フィルタ５の有を検出したか否かを判定する（ステップＳ１６）。制御部１３は、前述したように、電動モータ５に指示して加湿フィルタ５を回転させ、加湿フィルタ５が１回転する期間に加湿フィルタ検出部６１が磁石５２の磁気を検出したか否かによって、加湿フィルタ５の有を検出したか否かを判定する。
【０１０５】
制御部１３は、加湿フィルタ５の有を検出しなかった場合（ステップＳ１６：ＮＯ）、即ち、加湿フィルタ５の無を検出した場合、水位検出部６２への給電を停止することによって、水位検出部６２の動作を停止させる（ステップＳ１７）。
これにより、水位検出部６２が水位を検出するために使用する消費電力を削減することができる。
【０１０６】
次に、制御部１３は、ステップＳ１６で加湿フィルタ５の無が検出されているので、ファンモータ８２の回転数を記憶部１５から読み出して、ファンモータ８２の回転数を低い回転数に変更させる（ステップＳ１８）。例えば、回転数が手動で設定されて、設定された回転数の設定モードが「弱」である場合、制御部１３は、ファンモータ８２の回転数を４３０ｒ．ｐ．ｍ．から３６０ｒ．ｐ．ｍ．に変更する（図６参照）。
【０１０７】
従って、加湿フィルタ５の無を検出した場合におけるファンモータ８２の回転数が、加湿フィルタ５の有を検出した場合におけるファンモータ８２の回転数よりも低いため、送風機８の消費電力を小さくすることができる。
【０１０８】
制御部１３は、省エネルギーモードで空気を浄化しない場合（ステップＳ１３：ＮＯ）、即ち、ハイパワーモードで空気を浄化する場合、加湿フィルタ検出部６１への給電を停止することによって、加湿フィルタ検出部６１の動作を停止させる（ステップＳ１９）。
【０１０９】
ハイパワーモードで空気を浄化する場合、空気清浄機１は空気を加湿しない。従って、制御部１３は、ハイパワーモードで空気を浄化する場合、加湿フィルタ検出部６１の動作を停止することによって加湿フィルタ検出部６１が加湿フィルタ５の有無を検出するために使用する消費電力を削減する。
【０１１０】
次に、制御部１３は、ステップＳ７と同様にして、イオン発生部９が発生するイオンの量がハイパワーモード対応のイオンの量であるか否かを判定する（ステップＳ２０）。
【０１１１】
制御部１３は、イオン発生部９が発生するイオンの量がハイパワーモード対応のイオンの量でないと判定した場合（ステップＳ２０：ＮＯ）、イオン発生部９が発生するイオンの量を、ハイパワーモードで空気を浄化する場合に発生すべきイオンの量に増加させる（ステップＳ２１）。
【０１１２】
ここで、制御部１３は、ハイパワーモードで空気を浄化する場合に、イオン発生部９に給電されるべき時間を記憶部１５から読み出し、読み出した時間だけ、イオン発生部９に給電する。
【０１１３】
制御部１３は、加湿フィルタ５の有を検出した場合（ステップＳ１６：ＹＥＳ）、イオン発生部９が発生するイオンの量がハイパワーモード対応のイオンの量であると判定した場合（ステップＳ２０：ＹＥＳ）、又は、ステップＳ１８若しくはＳ２１を実行した後、空気の浄化を行う（ステップＳ２２）。制御部１３は、電動モータ７の動作を停止させ、ステップＳ１２で設定した回転数、又は、ステップＳ１８で変更した回転数でファンモータ８２に羽根車８１を回転させ、イオン発生部９にイオンを発生させることによって空気を浄化する。
【０１１４】
制御部１３は、ステップＳ１１又はＳ２２を実行した後、動作を終了する。制御部１３は、図８及び図９に示す動作を所定期間毎に繰り返す。
【０１１５】
本実施の形態にあっては、空気清浄機１には複数の風路を必要とせず、風路は１つであるため、効率よく空気が浄化される。また、使用者はハイパワーモードで空気を浄化するか否か、即ち、イオン発生部９が発生するイオンの量の増減を指示することができるので、使用者は、室内に飛散されるイオンの量を適量に調整することができる。
【０１１６】
なお、記憶部１５が記憶しているファンモータ８２の回転数は、図４、図５及び図６に示す回転数に限定されない。吸込口２及び吹出口３夫々の位置は、空気清浄機１の一側面及び上面に限定されない。
【０１１７】
また、加湿フィルタ５の形状は円盤状に限定されない。加湿フィルタ５を検出する方法は、加湿フィルタ５の盤面に磁石５２を設けて磁石５２の磁気を検出したか否かで加湿フィルタ５を検出する方法に限定されない。
【０１１８】
また、ファンモータ８２の回転数が手動で設定される場合において、使用者が指示することができる設定モードの数は、「弱」、「中」及び「強」の３つに限定されず、１、２又は４以上であってもよい。
【０１１９】
また、加湿フィルタ５を回転させる方法は、電動モータ７によって加湿フィルタ５を回転させる方法に限定されない。制御部１３が加湿フィルタ５の回転を制御できる方法であればよい。
【０１２０】
また、制御部１３は、ハイパワーモードで空気を浄化する場合に、水位検出部６２の動作を停止させてもよい。制御部１３は、省エネルギーモードで空気を浄化している状態で、加湿フィルタ５の無を検出した場合に、水位検出部６２の動作を停止させなくてもよい。
【０１２１】
また、制御部１３は、ハイパワーモードで空気を浄化する場合に加湿フィルタ検出部６１の動作を停止させなくてもよい。また、空気を浄化するモードは省エネルギーモードだけでもよい。
【符号の説明】
【０１２２】
１  空気清浄機
２  吸込口
５  加湿フィルタ
５２  磁石
６  水槽
６１  加湿フィルタ検出部
６２  水位検出部
８１  羽根車
８２  ファンモータ
９  イオン発生部
１２  操作パネル
１３  制御部
【図１】
2013015302.tif 000003
【図２】
2013015302.tif 000004
【図３】
2013015302.tif 000005
【図４】
2013015302.tif 000006
【図５】
2013015302.tif 000007
【図６】
2013015302.tif 000008
【図７】
2013015302.tif 000009
【図８】
2013015302.tif 000010
【図９】
2013015302.tif 000011